(57)【要約】  本発明は、携帯可能な、反動のない、又は反動の少ない兵器システム（１）を提供するものであり、兵器システム（１）は、静的及び動的の標的に対して有効であって、昼と夜とにおいて高性能な発射体を発射することができ、発射体はプログラム可能であることが好ましい。兵器システム（１）は、専用の発射制御装置を備えている。【選択図】図１
2010518345.tif 000002
【特許請求の範囲】
【請求項１】
一人の人間によって携帯可能な兵器システム（１）であって、
−銃身（３）を有する兵器（２）と、
−好ましくはプログラミング部（４ａ）を有するマズルブレーキ（４）と、
−銃身（３）の後方の端部に隣接する薬室（５）と、
−前記薬室から分離することができ、点火装置（６ａ）とノズル（６ｂ）とを備える尾栓を有する底部分（６）と、
−銃身（３）の周りに取り付けられたリコイルブレーキ（７）と、
−兵器構造部（１１）すなわち兵器ハウジングと、
−兵器システム（１）内に組み込まれ、標的指定をすることができる発射制御装置と、
−人間と兵器（１）の発射制御装置との間の電気的な通信インターフェイス（３０、３１）と、を備える、
一人の人間によって携帯可能な兵器システム（１）。
【請求項２】
発射制御装置が、兵器構造部（１１）の主要な軸周りに配置されたセンサー（１２）を備えることを特徴とする、請求項１に記載の兵器システム。
【請求項３】
距離測定装置（１４）と光学システム（１５）とが、銃身軸に対して平行に取り付けられていることを特徴とする、請求項１又は２に記載の兵器システム。
【請求項４】
発射制御装置が、プロセッサ（１８）を有し、前記プロセッサ内で、発射すべき発射体（１０）の先行データと発射距離とが計算されることを特徴とする、請求項１から３のいずれか１項に記載の兵器システム。
【請求項５】
標的画像が、兵器構造部（１１）に取り付けられたスクリーン（１６）上に伝送され、標的マーカー（１７）によって追跡できることを特徴とする、請求項１から４のいずれか１項に記載の兵器システム。
【請求項６】
兵器固定のキーボード（２３）を備えることを特徴とする、請求項１から５のいずれか１項に記載の兵器システム。
【請求項７】
通信インターフェイス（３１）が、ベスト（２０）等とヘルメット（２１）又はヘルメットのようなヘッドカバー内に組み込まれることを特徴とする、請求項１から６のいずれか１項に記載の兵器システム。
【請求項８】
無線通信セット（２２）が、通信インターフェイス（３１）に接続され、少なくとも１つの無線通信機（２２ａ）とＧＰＳ装置（２２ｂ）とを備えることを特徴とする、請求項１から７のいずれか１項に記載の兵器システム。
【請求項９】
携帯キーボード（２４）とスクリーン（２５）とを、前記通信インターフェイス（３１）に接続できることを特徴とする、請求項１から８のいずれか１項に記載の兵器システム。
【請求項１０】
携帯電源（２６）が、ベスト（２０）内又はベスト上に収容されていることを特徴とする、請求項１から９のいずれか１項に記載の兵器システム。
【請求項１１】
前記ノズル（６ｂ）が、ガス膨張の領域内に機構（９）を有し、前記機構が、気体力学によってモーメントを発生し、前記モーメントが、旋条（３ａ）を通る発射体（１０）の回転モーメントを補償することを特徴とする、請求項１から１０のいずれか１項に記載の兵器システム。
【請求項１２】
前記銃身の材料と前記マズルブレーキの材料とが、金属と非金属の材料の組合せからなることを特徴とする、請求項１から１１のいずれか１項に記載の兵器システム。
【請求項１３】
兵器システムを、主構成要素に分解することができ、携帯して運ぶことができることを特徴とする、請求項１から１２のいずれか１項に記載の兵器システム。
【請求項１４】
暗視システムが組み込まれていることを特徴とする、請求項１から１３のいずれか１項に記載の兵器システム。
【発明の詳細な説明】
【技術分野】
【０００１】
本発明は、携帯可能な多目的兵器に関する。
【背景技術】
【０００２】
特に、平和維持地域における兵士の最近の活動任務の結果として、兵士に、様々な活動に利用することができる兵器を提供する必要が生じている。この兵器は、複数の課題を解決し、異なった標的に対して利用できるものでなければならない。また、これらの兵器は夜間使用に適したものでなければならない、という必要性も増大している。
【発明の概要】
【発明が解決しようとする課題】
【０００３】
従って、本発明の課題は、高い性能に加えて、兵士すなわち使用者の機動性も保証する、兵器を提供することである。
【課題を解決するための手段】
【０００４】
この課題は、請求項１の特徴によって解決される。従属請求項には、有利な実施形態が記載されている。
【０００５】
本発明は、静的及び動的な標的に対して（昼と夜とにおいて）有効であって、プログラム可能で高性能の発射体を発射することができる、携帯可能で反動のない、或いは反動の少ない、兵器又は兵器システムを提供するという目的に基づいている。この目的のために、この兵器システムは、専用の発射制御装置を備えている。
【０００６】
この兵器システムは、口径には無関係であるが、既存のインテリジェントな発射体を使用することができ、また、発射体の重量が、本兵器システムに適用可能であるので、３０ｍｍの口径ならば、すぐに適用可能である。
【０００７】
兵器自体は、４つの主要構成要素、すなわち、銃身（例えば旋条を有するもの）と、プログラム設備を有するマズルブレーキと、発射体の初期運動によって開かれる複数のガス抜きを有する薬室と、ノズル、尾栓及び点火装置を有する底部分と、を備えることが好ましい。薬室と底部分とは、分離することができ、発射体を装填し、空の薬莢を排出することができる。薬莢には、ガス抜きの孔があけられておらず、従って、発射薬の点火を妨げない。ガス抜きは、銃身内を発射体が移動する前には開かれないように、考慮されている。
【０００８】
反動のないことは、兵器が、反動力を減少させる特殊な装置を有することによって、達成される。そこで、ノズルが利用され、ノズルは、発射薬ガスの一部を、既知のやり方で、反動力とは反対方向の力として発生させる。更に、マズルブレーキが組み込まれ、マズルブレーキ自体が高効率で作動する。更に、リコイルブレーキが設けられる。ノズルは、ガス膨張領域内に機構を有し、この機構は、気体力学によってモーメントを発生させ、このモーメントは、旋条を通過する発射体の回転モーメントを補償する。
【０００９】
兵器の可搬性は、特に、銃身の材料とマズルブレーキの材料とが、金属と非金属の材料の組合せからなることによって、達成される。兵器をその主構成要素に分解できるということは、兵士が、この兵器を、例えば箱に入れて、携帯して運搬することを可能にする。
【００１０】
従って、モジュール設計は、様々なタイプの特性を与える。
【００１１】
この目的のために、この携帯可能な兵器内には、発射制御装置が組み込まれている。センサーが、兵器構造部内で、主要な軸周りに取り付けられている。自動モード又は外部入力モードにおいて、これらのセンサーと少なくとも１つのコンピュータ（発射制御装置）によって、標的が捕捉され、取り込まれる。センサーは、外部入力の標的指定と照準線の測定とをすることができる。更に、発射軸に対して平行に、距離測定装置と光学システムが組み込まれている。
【００１２】
標的画像は、兵器に設けられたスクリーンに伝送されて、標的マーカーによって表示することができることが好ましい。更に、追跡プロセスの間、先行データが連続的に外挿され、例えば、いわゆる予測発射が可能である。
【００１３】
一実施形態において、この兵器システムには、先行データが古くならないようにする、タイムリミットが組み込まれている。この目的のために、例えば、タイムリミットが経過すると、追跡段階の繰返しが行われる。一方、このタイムリミットを、個別に又は自動的に設定することが可能である。しかし、安全上の理由から、このリミットを完全にオフに切り換えることは、避けるべきである。
【００１４】
サブ発射体の発射点までの距離は、ここでもまた、既知のやり方で、標的に従って選択可能である。発射体プログラミングは、システムによって自動的に行われることが好ましく、そのために、プロセッサは、先行データと変化する発射距離とを考慮する。
【００１５】
距離測定装置は、２本の手の一方で操作され、空いている手では、発射が行われる。この場合、それぞれの要請に応じて、兵器を左利き又は右利きの人に適合させることができる。
【００１６】
兵士は、通常、ベストとヘルメットとを着用している。この場合、プロセッサ、無線通信セット及び兵器システム用電源は、ベスト又はジャケット内に収容することができる。無線通信は、データ通信及び音声通信を介して、兵士間の通信を確保する。ＧＰＳ装置は、外部入力の標的指定を、ローカルなデータに変換する。発射体をプログラムするためのデータや気象データも、兵器固定のキーボード又は携帯キーボードを介して直接入力することができる。ヘルメットは、通話システムを備えることが好ましく、更にケーブル接続によって、戦術的スクリーンと（兵器自体に設けられたスクリーンとも直接接続可能であり、通信可能でもあるように）接続されていることが好ましい。
【００１７】
この携帯可能な多目的兵器は、地上戦及び空中戦に対して使用することができる。この兵器は、特定の地点の又は点在する場所の、かたい標的とも、やわらかい標的とも、闘うことができ、その場合、使用距離は、静止した標的に対しては２０００ｍより大きく、動的な標的に対しては１０００ｍまで選択することができる。既知の暗視システム（光学システム）を備えることは、昼間と夜の使用を可能にする。今や、兵士の携帯可能な兵器システムのシステムネットワーク化ができることも、かなり重要であって、この場合、特に、標的データは相互に調整され、個々の兵士のそれぞれの位置を考慮することができる。
【００１８】
従って、このコンセプトの、例えば３０ｍｍの多目的兵器は、機関銃、擲弾発射機（例えば４０ｍｍの）、対物ライフル、ＲＰＧ７、２０ｍｍの空挺砲、又はＭＡＮＰＡＤＳにとって代わることができる。
【００１９】
具体的な実施形態と図面とを参照して、本発明を更に詳細に説明する。
【図面の簡単な説明】
【００２０】
【図１】兵器システムの斜視図である。
【図２】兵器システムに属するベスト等を示す。
【図３】兵器システムの構成要素としての兵器を示す。
【図４】薬室と銃身との間の接続部の拡大図である。
【発明を実施するための形態】
【００２１】
符号１は、使用中でも人間一人で携帯可能な兵器システムを示し、その兵器システムは、図１に部分的に示されており、銃身３を有する兵器２と、例えば旋条３ａ（図４）と、例えばプログラミング部４ａを備えたマズルブレーキ４と、を備えることができる。後方の端部で、銃身３は、底部分６を備えた薬室５と、点火装置６ａとノズル６ｂとを備えた尾栓と、に接続されている。銃身３の回りには、リコイルブレーキ７が取り付けられている。これは、ノズル６ｂ及び高効率マズルブレーキ４とともに、兵器２の反動力を減少させるために用いられる。
【００２２】
薬室５は、複数のガス抜き８（図４）を有することが好ましく、それらは、兵器システム１の操作中、この図には図示しない発射体１０の初期運動によって開かれる。
【００２３】
薬室５と底部分６とは、分離可能であり、この構成によってこの箇所で発射体１０を薬室５へ送ることができる。
【００２４】
ノズル６ｂは、ガス膨張の領域内に機構９を有し、機構９は気体力学によってモーメントを発生し、このモーメントは、旋条３ａを通る発射体１０の回転モーメントを補償する。
【００２５】
センサー１２が、兵器システム１の兵器構造部１１内に、主要な軸周りに組み込まれており、センサーは、一方では、外部から標的指定入力ができ、他方では、照準線１３の力学を測定することができる。少なくとも１つの距離測定装置１４又は光学システム１５が、発射軸（銃身軸）に対して平行に組み込まれていることが好ましい。
【００２６】
標的画像を、兵器２に取り付けられた、折り畳み可能なスクリーン１６に送ることができ、標的マーカー１７によって追跡することができる。スクリーン１６上の先行点を、例えば標的マーカー１７の動きによって、表示することができる。先行データは、連続的に外挿され、いわゆる予測発射を可能とする。特に精度に関する理由から、先行データは、古くならないことを、確保しなければならない。
【００２７】
もし、発射すべき発射体１０が、インテリジェントな発射体であるならば、例えばサブ発射体の発射点の距離を、標的の関数として選択することができる（scalable terminal energy and effect on the target）。発射体は、自動的にプログラムされることが好ましい。この場合、特に、先行データと発射距離とが、システムプロセッサ１８によって計算され、兵器２又は発射体１０に、データとして送られる。更なるデータを、外部入力でプログラムすることもできる（そして、実行される）。
【００２８】
兵器２の他に、兵器システム１の更なる構成要素は、ベスト２０（又は、兵器システム１の操作者の衣服のようなもの）と、ヘルメット又はある種のヘッドカバー２１と、を含む。従って、プロセッサ１８は、ベスト２０内に組み込むことができる。更に、ベスト２０内に、無線通信セット２２と、兵器システム１用電源２６が収容される。
【００２９】
無線通信セット２２は、この場合、無線通信機２２ａと、ＧＰＳ装置２２ｂと、を備えるが、リンクするネットワークへの通信を確保し、外部の標的指定入力を兵器システム１のローカルデータに変換するために用いられる。スクリーン（１６）は、光学システムによって、標的捕捉のための移動方向命令を示す。
【００３０】
発射体１０のプログラミングをする他のデータ、又は気象データは、兵器固定のキーボード２３又は携帯キーボード２４を介して直接入力することができる。
【００３１】
更に、ヘルメット２１は、通話システムを搭載することができる。更なるスクリーンであるスクリーン２５との接続は、ケーブルを介して、又は無線で行うことができる。このスクリーンは、ヘルメット２１に組み込むこともできる。
【００３２】
兵器システム１の電気的な構成部分は、兵器システム１内の電源２６の供給とその機能とを確保するように、相互に接続される。この目的のために、すべての部品は、少なくともケーブル等で、相互に接続されている。
【符号の説明】
【００３３】
１    兵器システム
２    兵器
３    銃身
３ａ    旋条
４    マズルブレーキ
４ａ    プログラミング部
５    薬室
６    底部分
６ａ    点火装置
６ｂ    ノズル
７    リコイルブレーキ
８    ガス抜き
９    機構
１０    発射体
１１    兵器構造部
１２    センサー
１３    照準線
１４    距離測定装置
１５    光学システム
１６    スクリーン
１７    標的マーカー
１８    プロセッサ
２０    ベスト
２１    ヘルメット又はヘッドカバー
２２    無線通信セット
２２ａ    無線通信機
２２ｂ    ＧＰＳ装置
２３    キーボード
２４    携帯キーボード
２５    スクリーン
２６    電源
３０    通信インターフェイス
３１    通信インターフェイス
【図１】
2010518345.tif 000003
【図２】
2010518345.tif 000004
【図３】
2010518345.tif 000005
【図４】
2010518345.tif 000006
【国際調査報告】
2010518345.tif 000007
2010518345.tif 000008
2010518345.tif 000009
2010518345.tif 000010
2010518345.tif 000011
2010518345.tif 000012